【事件の表示】
　平成　５年特許願第３１２５９４号「パチンコ島台」拒絶査定不服審判事件〔平成　７年　５月３０日出願公開、特開平　７−１３６３１７〕について、次のとおり審決する。
【結　論】
　本件審判の請求は、成り立たない。
【理　由】
１．手続の経緯
　本願は、平成５年１１月１７日の出願であって、平成１４年４月１５日付けの拒絶理由通知に対し平成１４年６月２０日付けで手続補正がなされ、平成１４年８月２６日付けで拒絶査定がなされ、これに対し、平成１４年１０月３日に拒絶査定に対する審判請求がなされ、平成１４年１０月３０日付けで明細書に係る手続補正がなされたものである。
　　　　
２．本願発明
　本願の請求項１及び２に係る発明は、平成１４年６月２０日及び平成１４年１０月３０日付けの各手続補正によって補正された明細書の記載からみて、その特許請求の範囲の請求項１及び２に記載された「パチンコ島台」にあると認められるところ、その請求項１に記載された発明（以下、「本願発明」という。）は以下のとおりのものである。
　【請求項１】複数のパチンコ機を列設すると共に、遊技客の獲得した景品玉を返却する返却装置と、前記複数のパチンコ機で使用する多量のパチンコ玉を貯蔵する貯蔵タンクとを備えたパチンコ島台において、
　パチンコ機における差玉数の合計値と前記返却装置に返却された景品玉数との差を演算する演算手段と、
　該演算手段の演算結果に対応して各種の信号を導出する信号出力手段と、
　パチンコ島台の個々のパチンコ機に対応して設けられ且つ前記信号出力手段の出力信号に応じて表示駆動される表示手段と、
　差玉数の大きなパチンコ機を選択的に抽出する抽出手段と、を備え、
　前記抽出手段によって抽出されたパチンコ機に対応して設けられる前記表示手段に前記信号出力手段からの信号を送信して表示駆動することを特徴とするパチンコ島台。
　　　　　
３．引用例及び引用発明
　i．原査定の拒絶理由において引用された、本願の出願前に国内において頒布された刊行物である特開平４−１８３４８９号公報（以下、引用例という）には、以下の事項が記載されている。
　「１　台間玉貸機を備えたパチンコ島に、景品玉計数器を設けると共に当該島の上方に補給樋を、下方に回収樋を夫々配設し、回収樋の玉を補給樋に揚送する揚送装置を設けて玉の循環経路を形成し、各パチンコ機に打ち込まれる玉及び景品玉計数器に投入された景品玉をパチンコ島へ還元させる玉補給還元システムであって、遊技店内の各パチンコ島に設られた各パチンコ機に打ち込まれた玉に基づくアウトパルス創出手段、玉量調整器内の景品玉計数器に投入された景品玉に基づく計数パルス創出手段、各パチンコ機へ補給する玉に基づく補給パルス創出手段、台間玉貸機が貸し出す貸出玉に基づく売上パルス創出手段と、上記各パルス創出手段の出力に基づいて現在各循環経路中に存在する玉数を算出すると共に監視する演算処理手段と、上記補給樋の揚送装置に設けた上部タンクと、上記玉量調整器内に位置して且つ補給樋と第１制御手段を介して連通すると共に回収樋と第２制御手段を介して連通する貯留タンクとを備え、上記演算処理手段の演算結果に基づいて上記各制御手段を作動させると共に、玉量調整器への景品玉の投入を規制し且つ当該玉量調整器に設けた表示手段により景品玉の投入を許容する玉量調整器を配置した他の島を指示して、各パチンコ島の玉循環経路中の玉数を所定範囲内に維持するようにしたことを特徴とするパチンコ遊技店の玉補給還元システム。
２　上記表示手段に島内の玉量を可視表示する数量表示装置を設けた請求項１記載のパチンコ遊技店内の玉補給還元システム。
３　上記表示手段に景品玉の投入可能な他の島を表示する移動先表示装置を設けた請求項１記載のパチンコ遊技店内の玉補給還元システム。
４　上記表示手段に島内の玉数が少ない状態で作動する状態表示装置を設けた請求項１記載のパチンコ遊技店内の玉補給還元システム。」（第１頁左下欄第５行〜第２頁左上欄第１行）、
　「一方、上記揚送装置８には島還元上部タンク９（以下上部タンク９と略称する。）が設けてあり、この上部タンク９から補給樋５に玉を供給する。
この上部タンク９には第５図に示すように内部に存在する工数を検出する玉検出手段を設ける。この玉検出手段は、本発明においては玉の循環経路から出る玉数と、玉の循環経路に入る工数とに基づいて、演算処理手段（ＣＰＵ）１６が島１に投入した初期設定玉数から算出する。玉循環経路から出る玉数は、パチンコ機２の上皿に供給する補給玉と台間玉貸機４から遊技者に貸し出される玉との合計数であり、玉循環経路に入る玉数は、遊技者がパチンコ機２に打ち込んだ玉数（アウト玉＋入賞玉）と景品玉計数器３ａに投入された景品玉の合計数である。従って、島１に最初に投入した初期設定玉数に玉循環経路に入る玉数を加え、玉循環経路から出る玉数を引けば、現在、島１に存在する玉数を算出することができる。」（第４頁左上欄第７行〜右上欄第５行）、
　「そこで、本発明は、玉の循環経路から玉が出入りする部分に必要なパルスを創出するパルス創出手段を設け、上記パルスを演算処理手段１６、例えば遊技店の管理を司る管理装置（コンピュータ）に入力し、上記演算結果に基づいて各島１内の玉総数を一定の範囲内に維持し、合わせて店内の８島における玉の偏在をなくして適正な数の玉が循環可能なようにしたものである。」（第４頁左下欄第９〜１６行）、
　「次に、本発明を第８図（Ａ）〜（Ｃ）のフローチャートを参照して説明する。顧客即ち遊技者が台間玉貸機４から玉を借りると、この台間玉貸機４は売上パルス創出手段１９から売上パルスを出力し、管理装置は玉総数から減算して現在玉数を得る。遊技者は借りた玉により任意のパチンコ機２において遊技を行い、打球がアウト玉ならばアウトパルス創出手段１８に作用してアウトパルスを出力し、管理装置はこのパルスに基づいて玉総数に加算して現在玉数を更新する。一方、打球が入賞すると図示していない賞球装置に作用して賞球を排出する。尚、この入賞球も回収樋６に排出される際にアウトパルス創出手段１８に作用してアウトパルスを出力する。また、景品玉計数器３ａに景品玉が投入された場合には、計数パルスを加算して現在玉数を更新する。そして、管理装置は各パルスが入力される度に逐次現在玉数を更新し、回収樋６に流入した玉は揚送装置８により揚送されて上部タンク９に一時貯留させる。」（第４頁右下欄第１７行〜第５頁左上欄第１６行）、
　「また、遊技上が入賞すると賞球を排出する。そして、パチンコ機２の上部に設けた上皿スイッチが働いて補給樋５から分岐するジャバラ樋７を介して玉が補給された場合には、補給パルス創出手段１７により補給パルスが発せられて、玉循環経路の現在玉数を更新する。そして、上部タンク９の玉数が減少して中限信号が発せられると、この中限信号により第１制御手段１１を閉止する。尚、賞球の排出数が所定数に達して打止の場合には、更なる玉の補給を行わずに打止とする。そして、遊技者に景品玉を景品玉計数器３ａに投入させ、玉量調整器３においては計数パルスを発すると共に、この玉を回収樋６から循環経路に戻す。
　そして、遊技や景品玉の投入等を行って循環経路の玉が増え、上部タンク９に玉が溜って再び上限信号が発せられた場合には第１制御手段１１（樋シャッター）を開放して上記の循環を繰り返す。しかし、玉の増加が少なく上限信号が発せられない場合には、貯留タンク１０の玉量を調べ、貯留タンク１０に玉が残存している場合には第２制御手段１２（制御シャッター）を開いて所定数の玉を排出樋１３を介して回収樋６に放出する。即ち、第６図に示すように、中限値及び下限値を管理装置の信号として得るのである。一方、玉が残っていない場合即ち下限信号が発せられている場合は、報知手段例えば店内放送により店員（顧客を含む）へ玉の投入を促す。尚、上記所定数の放出は例えば第１制御手段である制御シャッターの開放時間を制御して行う。
　また、上記玉補給を行った後も上部タンク９の中限信号が出ない場合は既に中限値を下回ってきているので、島１内に玉がなくなってきた時の処理へ分岐し、上部タンク９の下限信号を待ち、貯留タンク１０に玉があれば第２制御手段１２（制御シャッター）を開放してこの貯留上を排出樋１３を介して回収樋６へ所定数の玉を放出する。一方、残存する玉がない場合は、報知手段例えば店内放送により店員（顧客を含む）へ対して玉の投入を促す。上記のようにして島１内を循環する玉数を常に掌握し、この玉数が予め設定した上限値を越える場合には新たに流入する玉を制限し、下限値を下回る場合には玉を投入して、島１内を循環する玉数を常に一定の範囲内に維持する。」（第５頁左下欄第９行〜第６頁左上欄第１１行）、
　「第９図は表示手段１５の実施例を示す島１の斜視図であって、島１内の玉量を可視表示する数量表示装置２１を設けである。この数量表示装置２１は例えばランプや発光ダイオード等からなる複数の表示灯２１ａ、２１ｂ、…を配設し、島１内にある現在の玉数に応じて上記表示灯２１…の点灯個数或は点灯面積を増減させたり、または表示色を変化させて島内の玉量を一目で把握できるようにしたものである。」（第６頁左上欄第１２〜２０行）、
　「更に、表示手段１５に島１内の玉数が少ない状態で作動する状態表示装置２３を設けることもできる。この状態表示装置２３は、例えば島１の端部や幕板に表示ランプ２３ａを設け、この表示ランプ２３ａを玉数が少ないときに点滅させることにより構成することができる。このような状態表示装置２３によれば、遠くからでもどの島が玉の受け入れを許可しているか一目でわかる」（第６頁右上欄第１１〜１８行）。
　　　
　ii．前記摘示の記載及び図面によれば、引用例には、以下の発明（以下、「引用発明」という。）が記載されているものと認められる。
　「複数のパチンコ機２を列設すると共に、遊技者の獲得した景品玉を投入する景品玉計数器３ａと、前記複数のパチンコ機２で使用する多量のパチンコ玉を貯留する貯留タンク１０とを備えたパチンコ島において、
　玉循環経路に入る玉数である、遊技者がパチンコ機２に打ち込んだ玉数と前記景品玉計数器３ａに投入された景品玉数の合計数から、玉循環経路から出る玉数である、パチンコ機２に供給される補給玉数と遊技者に貸し出される玉数の合計数を引くことにより得られる、パチンコ島に存在する玉数を算出演算するとともに、該演算結果に対応してパチンコ島内にある現在の玉数に応じた信号を出力する演算処理手段１６と、
　パチンコ島の端部や幕板に設けられ且つ前記演算処理手段１６の出力信号に応じて表示駆動される表示手段１５と、を備え、
　前記演算処理手段１６は、前記演算結果に基づいて、パチンコ島内の玉数が少ない状態になったと判断すると、遊技者に景品玉の投入を促すために前記表示手段１５のうちの状態表示装置２３に出力信号を送信して表示駆動するパチンコ島。」
　　　　
４．対比及び判断
（１）本願発明と引用発明との対比
　本願発明と引用発明とを対比すると、引用発明の「遊技者」、「投入」、「景品玉計数器３ａ」、「貯留」、「パチンコ島」、「パチンコ機２に供給される補給玉数から遊技者がパチンコ機２に打ち込んだ玉数を引くことにより得られる玉数」、「演算処理手段１６」及び「表示手段１５、状態表示装置２３」は、それぞれ、本願発明の「遊技客」、「返却」、「返却装置」、「貯蔵」、「パチンコ島台」、「パチンコ機における差玉数の合計値」、「演算手段、信号出力手段」及び「表示手段」に相当する。
　また、引用発明の「パチンコ島内の玉数が少ない状態になったと判断すると、遊技者に景品玉の投入を促すために前記表示手段１５のうちの状態表示装置２３を表示駆動する」ことは、本願発明の「差玉数の大きなパチンコ機を選択的に抽出して、抽出されたパチンコ機に対応して設けられる表示手段を表示駆動する」ことと対比して、「パチンコ島台に玉不足が生じたときに遊技客に持ち玉の返却を促すために表示手段を表示駆動する」ことにおいて共通する。
　そうすると、本願発明と引用発明の両者は、以下の点でそれぞれ、一致ならびに相違するものと認められる。
　一致点
　「複数のパチンコ機を列設すると共に、遊技客の獲得した景品玉を返却する返却装置と、前記複数のパチンコ機で使用する多量のパチンコ玉を貯蔵する貯蔵タンクとを備えたパチンコ島台において、
　パチンコ機における差玉数の合計値と前記返却装置に返却された景品玉数との差を演算する演算手段と、
　該演算手段の演算結果に対応して各種の信号を導出する信号出力手段と、
　パチンコ島台の個々のパチンコ機に対応して設けられ且つ前記信号出力手段の出力信号に応じて表示駆動される表示手段と、を備え、
　パチンコ島台に玉不足が生じたときに遊技客に持ち玉の返却を促すために前記表示手段に前記信号出力手段からの信号を送信して表示駆動するパチンコ島台。」
　相違点．本願発明は、差玉数の大きなパチンコ機を選択的に抽出する抽出手段を備え、前記抽出手段によって抽出されたパチンコ機に対応して設けられる表示手段を表示駆動するのに対し、引用発明は、パチンコ島内の玉数が少ない状態になると、パチンコ島の端部や幕板に設けられる表示手段を表示駆動する点。
　　
（２）相違点の検討
　まず、引用発明は、パチンコ島内の玉数が少ない状態になると、パチンコ島の端部や幕板に設けられた表示手段により店員や遊技客にパチンコ玉の返却を促すことに技術的意義があるものであるから、前記表示手段を配設する位置や数は、パチンコ島の端部の１箇所に限定されるべきものではなく、適宜に配設すべきものであることは明らかである。
　また、一般的に、複数の人間を対象に表示手段をもって所定の情報を報知するときに、該情報を報知すべき対象となる個人が比較的特定される場合に、該当者に対応する表示手段をもって直接的に該情報を報知する手法が効果的であることは、常識である。
　ところで、引用発明を認定した引用例（特開平４−１８３４８９号公報）に「賞球の排出数が所定数に達して打止の場合には、更なる玉の補給を行わずに打止とする。そして、遊技者に景品玉を景品玉計数器３ａに投入させ、玉量調整器３においては計数パルスを発すると共に、この玉を回収樋６から循環経路に戻す。」（第５頁左下欄第１６〜１８行）と記載されているところ、パチンコ島に列設された複数のパチンコ機について、その差玉数が所定の設定数を超えたか否かを何らかの演算手段を用いて常時監視し、設定数を超えたことが検出された場合に、該当するパチンコ機を打止状態にするとともに、当該パチンコ機に対応して設けられた表示手段によりその旨を店員及び遊技客に向けて報知する技術は、周知（例えば、特開昭５４−１０８７３３号公報、特開昭６３−１６８１９４号公報参照。）である。
　しかして、前記周知技術において、打止状態となるパチンコ機を検出することは、実質的に差玉数の大きなパチンコ機を選択的に抽出することに通ずるものであり、打止状態となったパチンコ機を表示手段をもって表示することにより、当該パチンコ機で遊技する遊技客に対してパチンコ玉の返却を促したり、あるいは、店員に差玉数の大きなパチンコ機の所在を報知する作用があることが明らかである。
　そうすると、報知すべき対象となる個人に対応する表示手段をもって直接的に所定の情報を報知するのが効果的であるという前記一般常識や、打止状態となった差玉数の大きなパチンコ機を検出してパチンコ玉の返却を促すとともに該パチンコ機の所在を対応する表示手段により報知するという前記周知技術を踏まえて、引用発明に示される、パチンコ島内の玉数が少ない状態になると表示駆動される表示手段について、差玉数の大きなパチンコ機に対応する表示手段を表示駆動する構成を採用して、前記相違点に係る本願発明の構成のようにすることは、当業者が容易に想到できるものである。
　ii．作用効果について
　本願発明の作用効果は、引用発明に基づいて当業者が容易に予測できるものである。
　iii．まとめ
　したがって、本願発明は、引用発明に基づいて、当業者が容易に発明をすることができたものであるから、特許法第２９条第２項の規定により特許を受けることができない。
　　　　
５．むすび
　以上のとおり、本願発明は、引用例に記載された発明（引用発明）に基づいて、当業者が容易に発明をすることができたものであるから、特許法第２９条第２項の規定により特許を受けることができない。
　したがって、特許請求の範囲の請求項２に係る発明について検討するまでもなく、本願は拒絶すべきものである
　よって、結論のとおり審決する。